(57)【特許請求の範囲】
【請求項１】
テレビジョン装置及びネットワーク上のサーバーと相互に通信可能な携帯端末であり、
相互に通信可能な装置を複数登録できる登録手段と、
前記登録手段により前記テレビジョン装置が登録され、第１のアドレスを用いて前記サーバーをアクセスすることで前記携帯端末の画面上で再生したコンテンツを、前記テレビジョン装置で前記テレビジョン装置の画面上に再生させるための操作がある場合、前記ネットワークを介した通信に使用した第１のアドレスを、前記テレビジョン装置の性能に適合する第２のアドレスを含む情報へ変換する変換手段とを備え、
前記第２のアドレスを含む情報は、前記テレビジョン装置において実行されるアプリケーションを起動するトリガとなり得る情報である、携帯端末。
【請求項２】
前記変換手段は、前記第１のアドレスを外部サーバーに送信して、前記外部サーバーで変換された前記第２のアドレスを受け取る手段である請求項１記載の携帯端末。
【請求項３】
前記ネットワーク上の前記第１のアドレスは、ＵＲＬであり、前記アプリケーションは、サーバーをアクセスしてコンテンツを取得して表示器へ出力するプログラムコードである請求項１記載の携帯端末。
【請求項４】
テレビジョン装置及びネットワーク上のサーバーと相互通信可能に構成された携帯端末のアドレス送信方法であり、
前記相互通信可能な装置を複数登録できる手段で前記テレビジョン装置を登録し、
第１のアドレスを用いて前記サーバーをアクセスすることで前記携帯端末の画面上で再生したコンテンツを、前記テレビジョン装置で前記テレビジョン装置の画面上に再生させるための操作がある場合、前記ネットワーク上の前記第１のアドレスを前記テレビジョン装置の性能に適合する第２のアドレスを含む情報に変換し、
前記第２のアドレスを前記テレビジョン装置に送信する、ここで前記第２のアドレス情報は前記テレビジョン装置の特定のアプリケーションを自動起動するように設定されている、
携帯端末のアドレス送信方法。
【請求項５】
テレビジョン装置及びネットワーク上のサーバーと相互通信可能に構成された携帯端末の制御部に設けられる情報処理プログラムであり、
前記相互通信可能な装置を複数登録できる手段で前記テレビジョン装置を登録するステップと、
前記携帯端末が第１のアドレスを用いて前記サーバーをアクセスすることで前記携帯端末の画面上で再生したコンテンツを、前記テレビジョン装置で前記テレビジョン装置の画面上に再生させるための操作がある場合、前記ネットワーク上の前記第１のアドレスを前記テレビジョン装置の性能に適合する第２のアドレスを含む情報に変換するステップと、
前記第２のアドレスを前記テレビジョン装置に送信するステップと、ここで前記第２のアドレス情報は前記テレビジョン装置の特定のアプリケーションを自動起動するように設定されている、
を有した携帯端末の情報処理プログラム。
【発明の詳細な説明】
【技術分野】
【０００１】
本発明の実施形態は、携帯端末、携帯端末のアドレス送信方法及び情報処理プログラムに関する。
【背景技術】
【０００２】
近年、携帯端末として、携帯電話、タブレット、パーソナルデジタルアシスタント（ＰＤＡ）、無線モデム、ラップトップコンピュータ、パーソナルコンピュータ、その他各種の携帯端末が開発されている。また上記の携帯端末とテレビジョン装置とを通信手段を介して連携させる技術も開発されている。
【先行技術文献】
【特許文献】
【０００３】
【特許文献１】特開２０１０−２１１８０６号公報
【特許文献２】特開２０１１−７７６７１号公報
【特許文献３】特開２００４−２１８２１号公報
【特許文献４】特開２０１１−１９９５６８号公報
【発明の概要】
【発明が解決しようとする課題】
【０００４】
上記のように携帯端末とテレビジョン装置とを通信手段を介して連携させる技術が開発されている。一方では、携帯端末とテレビジョン装置のそれぞれは、機能を拡張する、また性能をアップするなどの独自での技術改良が行われている。
【０００５】
このような技術改良が行われたとしても携帯端末とテレビジョン装置の互いの機能が十分に実行され、かつ互いの機能が損なわれることがないように設計された通信システム及び装置が要望されている。
【０００６】
本実施形態では、携帯端末とテレビジョン装置とのそれぞれの技術改良に適応できるようにした携帯端末、携帯端末のアドレス送信方法及び情報処理プログラムを提供することを目的とする。
【課題を解決するための手段】
【０００７】
実施形態に係る携帯端末は、テレビジョン装置及びネットワーク上のサーバーと相互に通信可能な携帯端末であり、相互に通信可能な装置を複数登録できる登録手段と、前記登録手段により前記テレビジョン装置が登録され、第１のアドレスを用いて前記サーバーをアクセスすることで前記携帯端末の画面上で再生したコンテンツを、前記テレビジョン装置で前記テレビジョン装置の画面上に再生させるための操作がある場合、前記ネットワークを介した通信に使用した第１のアドレスを、前記テレビジョン装置の性能に適合する第２のアドレスを含む情報へ変換する変換手段とを備え、前記第２のアドレスを含む情報は、前記テレビジョン装置において実行されるアプリケーションを起動するトリガとなり得る情報である。
【図面の簡単な説明】
【０００９】
【図１】実施形態の基本的概念を説明するために、携帯端末と中継器とテレビジョン装置を示す図である。
【図２】図１の携帯端末と中継器とテレビジョン装置を機能ブロック化して示す図である。
【図３】図１の携帯端末が表示した画面の各種の例を示す図である。
【図４】図１の携帯端末が表示した画面の他の例を示す図である。
【図５】図１の携帯端末がＵＲＬをテレビジョン装置へ送信する際の動作例を説明するために示した図である。
【図６】図１の携帯端末に対して通信相手となるデバイスを登録する際の登録手順を説明する図である。
【図７】図１のテレビジョン装置の構成例を示すブロック図である。
【図８】図１の携帯端末の構成例を示すブロック図である。
【図９】図１の中継器の動作例を示すフローチャートである。
【図１０】図１の携帯端末の動作例を示すフローチャートである。
【図１１】図１のテレビジョン装置の動作例を示すフローチャートである。
【図１２】図１の携帯端末からテレビジョン装置へＵＲＬが送信されたときのテレビジョン装置が起動するときの動作例を示す図である。
【発明を実施するための形態】
【００１０】
以下、実施の形態（本発明の実施形態ではなく、単なる実施形態）について図面を参照して説明する。
【００１１】
図１は、実施形態の基本的概念を説明するために、携帯端末と中継器とテレビジョン装置を示す図である。５００は、携帯端末であり、中継器（アクセスポイント）３００を介してテレビジョン装置１００と相互通信を行うことができる。中継器３００は、近距離無線通信が可能な各種の方式を採用することが可能である。
【００１２】
携帯端末５００と、中継器３００が無線接続或いは有線接続される、また中継器３００とテレビジョン装置１００とが無線接続或いは有線接続される。さらには、携帯端末５００とテレビジョン装置１００とが直接無線或いは有線接続される方式でも構わない。
【００１３】
図２は、図１の携帯端末５００と中継器３００とテレビジョン装置１００を機能ブロック化して示す図である。携帯端末５００はタブレットと称されることもあり、中継器３００を介して、例えば、モバイル用ＵＲＬをパーソナルコンピュータ用（ＰＣ用）ＵＲＬに変換してテレビジョン装置１００へ送信することができる。テレビジョン装置１００は、受信したＰＣ用ＵＲＬを利用して、サーバー（図示せず）をアクセスして、コンテンツを取得あるいはブラウジングすることができる。
【００１４】
テレビジョン装置１００は、携帯端末５００からのＵＲＬを受け取ったとき、ＵＲＬに対応するアプリケーションを自動的に起動し、続いてサーバーをアクセスする。
【００１５】
タブレット５００がＵＲＬを変換してテレビジョン装置へ送信する場合は、例えば次に記載するようにドメイン名部分を変換する。
【００１６】
モバイル用ＵＲＬ：http://m.youtube.com/watch?v=R4jVMMCLn4E
ＰＣ用ＵＲＬ    ：http://www.youtube.com/watch?v=R4jVMMCLn4E
変換ルール例（sedを使った場合）は、例えば次のように、ドメイン部分を変換するための定数が記述された変換ルールで処理が実行される。
【００１７】
sed s/'\/\/m.youtube.com\/'/'\/\/www.youtube.com\/'/
入力コマンド：$ echo http://m.youtube.com/watch?v= R4jVMMCLn4E | sed s/'\/\/m.youtube.com\/'/'\/\/www.youtube.com\/'/
出力：http://www.youtube.com/watch?v=R4jVMMCLn4E
なお上記のＵＲＬ変換は、テレビジョン装置内部で実施して、変換されたＵＲＬをテレビジョン装置が使用してもよい。またここに記載した変換例は一例であり、これに限定されるものではない。たとえば複数のサイトのＵＲＬをテーブルとして保有し、いずれかが選択される方式でも構わない。さらにまた、携帯端末５００或いはテレビジョン装置１００が外部サーバーにアドレスを送信し、変換されたアドレスを受け取り、受け取ったアドレスを使用する方法でもよい。つまり携帯端末内若しくは記テレビジョン装置内、若しくは前記携帯端末及び又は前記テレビジョン装置が通信を行う外部サーバーの何れかに設けられてもよい。外部サーバーとしては、特定の会社あるいは機関のビジネスサーバーが利用されてもよい。
【００１８】
図３（Ａ）は、携帯端末５００の初期画面に各種のアイコンが表示された状態を示している。このアイコンの中から例えば“ＵＲＬ送信”ボタン５５１にタッチ操作（ポイント操作と称してもよい）を行うと、図３（Ｂ）のように、サイト選択画面に移行する。サイトとしては、例えば“Ｇｏｏｇｌｅ（登録商標）”、“Ｙｏｕ  Ｔｕｂｅ（登録商標）”などがある。ここで、ユーザが例えば“Ｙｏｕ  Ｔｕｂｅ”のボタン５５２にタッチ操作すると、図３（Ｃ）のように、センドボタン(Send)５５５が表示されるとともに、モバイル用ＵＲＬに基づいて、ユーチューブ（登録商標）のサイトの画面５６０が表示される。
【００１９】
ここで、ユーザが、ＵＲＬをテレビジョン装置へ送信するための“Ｓｅｎｄ”ボタン５５５を操作すると、テレビジョン装置１００では、ユーチューブのサイト画面が表示される。テレビジョン装置１００は、ユーチューブのサーバーをアクセスする場合、ＰＣ用のＵＲＬを使用し高画質の映像信号を取得して表示する。
【００２０】
通常、携帯端末５００は、モバイル用のＵＲＬを使用するので低解像度 もしくは低品質、低画質、もしくは標準画質（ＳＤ：Standard)の映像信号を取得して表示するが、テレビジョン装置１００は、ＰＣ用のＵＲＬを使用するので、高解像度もしくは高品質、高画質質もしくは高画質（ＨＤ：High Definition）の映像信号を取得することができる。
【００２１】
また図３（Ｃ）の画面では、携帯端末５００をポインターモードに切り換えるための操作用アイコン５５６、キーボードモードに切り換えるための操作用アイコン５５７も表示される。
【００２２】
図３（Ｄ）は、図３（Ｃ）の状態の携帯端末５００がポインターモードに切換ったときの画面の一例を示している。ユーザは、この画面上に指をタッチし、滑らせることにより操作し、テレビジョン装置の画面上のポインタ位置を移動させることができる。戻る操作ボタン５６５にタッチ操作すると、図３（Ｃ）の表示画面に戻ることができる。図３（Ｅ）は、図３（Ｃ）の状態の携帯端末５００がキーボードモードに切換ったときの画面の一例を示している。この場合も戻る操作ボタン５６５にタッチ操作すると、図３（Ｃ）の表示画面に戻ることができる。図３（Ｅ）の画面には、操作キー群５６６が表示される。タッチ方式により、キー操作を行いテキストの入力を行うと、テキスト表示領域５６８にテキストが表示される。
【００２３】
図３（Ｄ）の状態の携帯端末５００において、画面に表示されているブラウザコントロールボタン５６７にタッチすると、図３（Ｆ）のように、ブラウザ操作のための操作ボタン５７１−５７６が表示される。操作ボタン５７１は、ブラウザ画面を戻すバックボタン、操作ボタン５７２は、ブラウザ画面を次に進めるためのフォワードボタン、操作ボタン５７３は、ブラウザ画面を再度ロードするためのロードボタン、操作ボタン５７４は、ブラウザを停止させるための停止ボタン、操作ボタン５７６はカーソル移動と決定を行うためのカーソルボタン５７６である。又この画面においてもブラウザコントロールボタン５６７が表示されており、このブラウザコントロールボタン５６７を操作すると、図３（Ｄ）の画面に戻ることができる。
【００２４】
したがって、テレビジョン装置１００が例えばユーチューブのサイトを表示した状態にあり、何らかの操作が必要な場合は、ユーザは、携帯端末５００を図３（Ｄ）又は図３（Ｅ），または図３（Ｆ）のように切り換えて操作卓として利用することができる。
【００２５】
なお、携帯端末５００には、フレームにバックキー（図示せず）が設けられており、このバックキーを操作することで、図３（Ａ）の初期画面に一挙に戻ることができる。
【００２６】
携帯端末５００は、ネットワーク上のサーバーアクセスに使用するアドレスをテレビジョン装置１００に送信する送信手段と、アドレスを送信した後、テレビジョン装置１００の動作状態に適合する操作子を表示した、例えば図４に示すようなテレビジョン装置１００の操作画面に自動的に切換る切換手段とを有する。  
携帯端末５００は、ＵＲＬの送信時に、当該ＵＲＬが動画供給のコンテンツ用であると認識すると、上記切換手段は、ＵＲＬの送信後に、例えば図４に示すようなテレビジョン装置１００の操作画面に自動的に切換える。  
携帯端末５００は、ＵＲＬをテレビジョン装置１００に送信した後、このテレビジョン装置１００からアクノーリッジを受信すると、上記切換手段は、テレビジョン装置１００の操作画面に切り替える。
【００２７】
携帯端末５００は、テレビジョン装置１００が電源オン状態からスタンバイ状態又は電源オフ状態のいずれかになると、上記切換手段は、テレビジョン装置１００の操作画面から当該テレビジョン装置１００の操作画面の前に表示していた画面に戻す。上記切換手段は、ＵＲＬを送信した後、アドレス送信用操作画面からテレビジョン装置１００の操作画面に切り替える。
【００２８】
一方、テレビジョン装置１００は、ネットワーク上のサーバーアクセスに使用するＵＲＬを受信すると、携帯端末５００に対して当該テレビジョン装置１００の動作状態に適合する操作子を表示するテレビジョン装置１００の操作画面に自動的に切換るためのアクノーリッジを携帯端末５００に送信する。
【００２９】
上記したように、本実施形態では、携帯端末５００からモバイル用ＵＲＬをＰＣ用ＵＲＬに変換してテレビジョン装置１００に送信する。この場合、テレビジョン装置１００を操作する操作の種類が予め分かっている場合（あるいは操作の種類が予め固定の場合）は、携帯端末５００の画面を自動的に切り換えて、操作子を表示しても良い。例えば図４に示すように、戻る、一時停止、再生、早送り、早戻し、停止、こま送り、こま戻し、記録、などの操作子５８１−５８８が一斉に表示されてもよい。
【００３０】
または、携帯端末５００からテレビジョン装置１００へ送信したＵＲＬが動画サイトのものであった場合は、携帯端末側では、テレビジョン操作用の再生操作画面（例えば図４）に切換り、ウエブサイトのものであった場合は、テレジョン操作用のポインター操作画面（例えば図３（Ｄ））に切換るようにしてもよい。
【００３１】
図５は、携帯端末５００がＵＲＬを送信したときに、携帯端末５００が動作する手順を概略的に示している。ＵＲＬの送信は、初めてであるか否かをチェックする（ブロック又はステップＳ１）。初回であれば、デバイス選択メニューを表示する（ステップＳ２）。２回目以降であれば、ＵＲＬの変換処理を実行して、前回接続したテレビジョン装置１００へＵＲＬを送信する（ステップＳ５，Ｓ６）。ＵＲＬの送信が確認されたら、コントロール画面に切換ってもよい。ＵＲＬの送信の確認は、テレビジョン装置１００からアクノーリッジを受け取ったときに確定する。コントロール画面への切換りは、自動的に実行されてもよいし、ユーザがポインターモード、或いはキーボードモードを選択したときに切換ってもよい。
【００３２】
なお、ステップＳ５に移る前のステップＳ４で、テレビジョン装置１００と交信が可能か否かの判定が行われていてもよい。ただしステップＳ４は必ずしも必須ではない。
【００３３】
図６は、携帯端末５００により、デバイス選択が行われるときの手順を詳しく示している。デバイス選択メニュー（ステップＳＥ１：図５のステップＳ２に対応）に移行した場合、携帯端末５００に登録されているデバイス名が表示される。図の例では、デバイスとしてＴＶ１と、レコーダＡ，レコーダＢが表示されている。次に、ユーザが何れかのデバイス名（例えばＴＶ１）をポイント（タッチ）して選択すると、この選択したデバイス（機器）は、ＵＲＬ受付可能な仕様かどうかを判定する。この判定は、例えば携帯端末５００からテレビジョン装置１００に問い合わせを行い、応答を受け、判定している。判定結果、ＵＲＬ受付不可能なデバイスであった場合、「このデバイスは、ＵＲＬ受付できません」というメッセージを表示して終了する（ステップＳＥ２，ＳＥ３）。
【００３４】
ステップＳＥ２で、選択したデバイス（例えばＴＶ１）がＵＲＬ受付可能であることが判定された場合、選択したデバイスは、登録済みであるかどうかの判定を行う（ステップＳＥ５）。登録済みであれば、終了、つまり図５のステップＳ５に移行するが、未登録であれば、携帯端末５００は、デバイス名５９１と共に登録画面５９２を表示する。そして、「ＴＶに表示されているＰＩＮ番号を入力してください」というメッセージを表示する。
【００３５】
メッセージは、図の例であれば、４桁の数字の入力を促している。ユーザは、携帯端末５００に表示されたテンキーをタッチ操作し、ＰＩＮ番号を入力する。入力ミスした場合は、クリアキー「Ｃ」を操作すると、１文字ずつ下の桁からクリアされる。４文字の入力を確定したい場合は、決定キー「Ｄ」が操作される。これにより、ＰＩＮ番号の入力済みと判定され（ステップＳＥ７）、「ＵＲＬ送信可能です」というメッセージが表示され、図５のステップＳ５に移行する。
【００３６】
図７は、本実施形態に関わるテレビジョン装置の構成例を示すブロック図であり、図８は同じく本実施形態に関わる携帯端末の構成例を示すブロック図である。
【００３７】
テレビジョン装置１００は、例えばスクランブルされたデジタル地上波放送信号を受信する複数のチューナを含むデジタルチューナ装置１０２を有する。デジタルチューナ装置１０２は例えばＢＳ／ＣＳデジタル放送受信用のチューナ（図示せず）が含んでも良い。
【００３８】
チューナ装置１０２で受信された放送番組の信号は、ＴＳ処理部１２２に入力され、複数のチャンネル（ＣＨ）のＴＳ（Ｔｒａｎｓｐｏｒｔ Ｓｔｒｅａｍ）が１つのＴＳに再多重される。多重ＴＳは各チャンネルの放送番組のパケット列を含む。各チャンネルのパケットには、チャンネル及びパケット識別用の識別情報が付加されている。多重ＴＳは、記憶装置１１１に入力される。またＴＳ処理部１２２に入力したＴＳの中で、制御情報を含むパケットは、制御部２００に入力されて処理される。
【００３９】
記憶装置１１１は、例えば、ハードディスクドライバー、光ディスク記録再生装置を含む。光ディスクにはデジタルバーサタイルディスク（ＤＶＤ），ブルーレイディスク（ＢＤ）などが含まれる。
【００４０】
ＴＳ処理部１２２から制御部２００に送られるパケットは、例えば、放送番組の暗号化情報であるＥＣＭ（Entitlement Control Message）と、番組名、出演者、開始時刻などのイベント情報を記述したテーブルであるＥＩＴ（Event Information Table）などの情報、ＥＰＧ（Electric Program Guide：電子番組ガイド）情報を含む。
【００４１】
パケットに含まれる映像データは、例えばＭＰＥＧ(Moving Picture Expert Group)方式、ＡＶＣ(Advanced Video Coding)方式などでエンコードされている。またオーディオパケット内のオーディオデータは、例えば、ＰＣＭ(Pulse Code Modulation)方式、Ｄｏｌｂｙ方式、ＭＰＥＧ方式などでエンコードされている。ＴＳ処理部１２２は、番組の映像パケットと、オーディオパケットを分離し、各パケット内のデータを各方式に応じてデコードする。
【００４２】
したがって、ＴＳ処理部１２２で分離されたパケットの中でオーディオデータを含むパケットは、オーディオデコーダ１２３に入力され、符号化方式に応じた復号化が実施される。オーディオデコーダ１２３でデコードされたオーディオデータは、オーディオデータ処理部１２４で同期処理、音量調整などを施され、オーディオ出力部１２５に供給される。オーディオ出力部１２５は、スピーカシステムに応じたステレオ分離処理などを実行し、出力をスピーカ１２６に供給する。
【００４３】
ＴＳ処理部１２２で分離されたパケットの中で映像データを含むパケットは、映像デコーダ１３１に入力され、符号化方式に応じた復号化が実施される。映像デコーダ１３１でデコードされた映像データは、映像データ処理部１３２で、同期処理、輝度調整、色調整などが実施される。映像データ処理部１３２の出力は、映像出力部１３３に供給される。映像出力部１３３は、制御部２００からのデータ、図形、番組表などをメイン映像信号に多重することができる。また映像出力部１３３は、出力映像信号に対して表示器１３４に応じたスケール、解像度、ライン数、アスペクト比などを設定して、表示器１３４に向けて出力する。
【００４４】
なお、有料番組のオーディオパケット、映像パケットが暗号化されている場合もある。この場合、鍵情報を用いて暗号化を解くための処理系統もあるがここでは省略している。
【００４５】
制御部２００は、中央演算処理ユニット（ＣＰＵ）２０１、操作コマンド処理部２０２、通信制御部２０３、操作デバイス管理部２０４、表示処理部２１１、メモリ２１２を含む。さらにＥＰＧ(Electric program guide)データ処理部、記録制御部、などを含むがここでは示していない。
【００４６】
ＣＰＵ２０１は、制御部２００の全体の動作シーケンスの調整を行っている。操作コマンド処理部２０２は、外部から入力する操作コマンドを解析し、コマンドに応じた動作をテレビジョン装置１００に反映させることができる。操作デバイス管理部２０４は、制御部２００に対して操作信号を与える携帯端末５００，５０１、リモートコントローラ１１５などのデバイス識別データを把握し、管理することができる。
【００４７】
表示処理部２１１は、映像出力部１３３を介して表示器１３４に表示される映像信号を全般的に制御することができる。また表示処理部２１１は、画像信号の解像度、表示サイズ、表示エリアなどの調整処理を行うこともできる。また、ＥＰＧデータを用いて作成した番組表の映像信号や、操作信号に応じて制御部２００内で作成されたメニュー映像信号を映像出力部１３３に供給することができる。メモリ２１２は、制御部２００内で保存する各種のデータ、アプリケーションなどを保存することができる。
【００４８】
通信制御部２０３は、外部との通信を行い、操作コマンド、データ、コンテンツ、などを取り込むことができる。取り込まれたコンテンツ、及びデータは、例えば記憶装置１１１、或いはメモリ２１２に格納されることができる。通信制御部２０３は、テレビジョン受信装置１００から外部に向けて、データ、コンテンツ、などを送信することができる。
【００４９】
通信制御部２０３は、無線通信送受信部１１３、有線通信送受信部１１２と接続されている。有線通信送受信部１１２は、インターネットを介して、遠隔サーバー、或いはホームサーバーとの間でデータの送受信を行うことができる。無線通信送受信部１１３は、複数の携帯端末５００、５０１との間でデータの送受信を行うことができ、近距離通信用である。また、テレビジョン装置１００は、リモートコントローラ１１５からの操作信号を、赤外線受信部１１４を介して受け取ることもできる。
【００５０】
携帯端末５００、５０１は、テレビジョン装置１００をリモートコントロールすることもできる。
【００５１】
携帯端末５００、５０１は、図示しない基地局、インターネットなどを介してサーバーをアクセスすることができる。サーバーが提供するコンテンツは勿論のこと、各種のアプリケーション、ゲームソフトなどをダウンロードし、無線通信送受信部１１３を介して、制御部２００に転送することが可能である。また携帯端末５００、５０１は、コンテンツを取得するための情報（例えばウェブサーバーのアドレス、メールアドレス、ネットワークアドレスなど）を、無線通信送受信部１１３を介して、制御部２００に転送することが可能である。
【００５２】
上記したウェブサーバーのアドレス、メールアドレスなど、さらには動画、静止画、写真画像などをここでは「お勧め情報」あるいは「興味情報」と称してもよい。
【００５３】
制御部２００は、携帯端末５００や５０１からコンテンツ、アプリケーション、或いはゲームソフトが転送されてくるときは、通信制御部２０３が動作する。
【００５４】
通信制御部２０３は、受け取ったコンテンツをメモリ２１２に格納する。コンテンツは、操作コマンドに応じて、或いは自動的に記憶装置１１１に格納されてもよい。記憶装置１１１は、受け取ったコンテンツを例えばハードディスクに記録させることができる。ハードディスクにおいては、コンテンツはコンテンツファイルとして管理される。
【００５５】
表示用のメニュー映像信号、番組表映像信号などは、表示処理部２１１に格納及びまたは管理されている。メニューの表示、番組表の表示が行われるときは、メニュー画面データ、番組表映像信号が、表示制御部２０３の制御に基づき、データ格納部（メモリ或いはハードディスク）から読み出され、表示処理部１２８に供給される。これにより、メニュー画像や番組表画像が表示器１３０に表示される。
【００５６】
表示用のメニュー映像信号、番組表映像信号などは、携帯端末５００或いは５０１に送信されることもできる。携帯端末５０１或いは５０２がメニュー映像信号、番組表映像信号など要求した場合、表示処理部２１１は、メニュー映像信号、番組表映像信号を送信することができる。
【００５７】
携帯端末５０１或いは５０２は、メニュー映像信号、番組表映像信号をタッチ式パネルの画面に表示することができ、ユーザは、タッチ（或いはポイント）式パネルの画面に表示された操作ボタンに触れることにより、テレビジョン装置１００に動作指令信号を与えることができる。
【００５８】
図８は、携帯端末５００の構成例を示している。表示器５１１は映像表示部として動作し、かつタッチスクリーンとして動作することができる。メニュー画像が表示されているとき、ユーザが所望の項目にタッチすると、その操作入力が、制御部５２０の操作コマンド処理部５２４で認識される。例えば、タッチ操作が、電話機能を選択する操作入力であった場合、動作モード設定部５２６が、携帯端末５００を携帯電話モードに設定する。
【００５９】
表示器５１１には、ダイヤル入力を行うための操作画面が表示される。所望の宛先のダイヤル入力の操作が行われると、携帯電話機能部５２５が、データ処理部５１２、通信制御部５１３Ａ、送受信器５１４Ａ、アンテナ５１５Ａを介して通信相手の呼び出しシグナルを送信する。通信先との回線が接続状態になると、通信相手からの信号が送受信器５１４Ａ、通信制御部５１３Ａ、データ処理部５１２を介して復号される。そして音声データがスピーカ５１６から出力される。またこちらかの音声データは、マイクロホン５１７を介してデータ処理部５１２で処理され、通信制御部５１３Ａに送られる。そして送信データとして送受信器５１４Ａを介して通信相手に送信される。
【００６０】
メモリ５２１は、データを一時的に保存したり、或いはアプリケーションを格納するために利用される。５２３はバッテリであり、充電可能である。
【００６１】
携帯端末５００は、例えば、インターネットを介してコンテンツ或いはアプリケーションをダウンロードすることができる。またダウンロードしたコンテンツ或いはアプリケーションをデータ転送部５２７の制御に基づいて、例えば図１に示すテレビジョン装置１００に転送することができる。この場合、携帯端末５００は、外観上は中継器として機能している。近距離通信は、通信制御部５１３Ｂ、送受信器５１４Ｂ、アンテナ５１５Ｂを介して実施される。通信制御部５１３Ａ，５１３Ｂ，送受信器５１４Ａ，５１４Ｂ、アンテナ５１５Ａ、５１５Ｂは、一体化されて構成されていてもよい。そして、送受信モードに応じて遠距離通信、近距離通信が切り替えられてもよい。また携帯端末５００は、カメラ５１８と画像処理部５２８を有しても良い。
【００６２】
携帯端末５００は、外部のサーバー、或いはテレビジョン装置１００からコンテンツをダウンロードし、表示器５１１に表示することができる。
【００６３】
図９は、図１に示した中継器３００の中継動作を示すフローチャートである。電波或いは入力高周波信号を受信し、送信信号に電力変換して電波あるは出力高周波信号として出力する。なお送受信方式は、各種の近距離無線通信方式があるので、いずれを採用してもよい。これにより携帯端末とテレビジョン装置とのコミュニケーションが可能となる。また中継器３００は、上記したようなＵＲＬの変換機能を備えても構わない。
【００６４】
図１０は、携帯端末５００がＵＲＬをテレビジョン装置１００へ送信する場合の動作フロー例を示している。図３で示したように、ＵＲＬ送信ボタン５５１が操作されると、ＵＲＬリストが例えば、サイトの名称として表示される（ステップＳＢ１）。次に、ユーザが所望のサイトの名称を選択し、送信指令（Ｓｅｎｄ）を入力すると、当該サイトをアクセスするためのＵＲＬの変換処理が実行される（ステップＳＢ２，ＳＢ３）。なおこの変換処理がテレビジョン装置側で行われるときは、ステップＳＢ３は無くてもよい。次に、ステップＳＢ４ではＵＲＬの送信処理が実施される。
【００６５】
テレビジョン装置側からＵＲＬを受信した旨のアクノーリッジを受けた場合（ステップＳＢ５）、携帯端末５００は、自動的に画面が切換ってもよいし、現状を維持していても良いし、或いはユーザの操作に応じて切換ってもよい。画面が切換った状態としては、図３、図４で説明したようにポインターモード、キーボードモード、ブラウザ操作子の表示状態などがある。
【００６６】
ステップＳＢ５において、テレビジョン装置側からＵＲＬを受信した旨のアクノーリッジを受信しなかった場合、携帯端末５００は同じＵＲＬをＸ回送信したかどうかを確認する（ステップＳＢ１０）。携帯端末５００は同じＵＲＬをＸ回送信していない場合は、再送信指令を出力する（ステップＳＢ１１）が、同じＵＲＬをＸ回送信してしまっている場合は、警告を表示する（ステップＳＢ１２）。
【００６７】
図１１は、携帯端末５００から送信されたＵＲＬを受信するテレビジョン装置１００側の動作を示すフローチャートである。データを受信したら、次にデータを解析し、受信データがＵＲＬを含むかどうかを判定する（ステップＳＣ１，ＳＣ２，ＳＣ３）。受信データにＵＲＬが含まれていた場合、アクノーリッジを携帯端末５００に向けて送信する（ステップＳＣ４）。受信データにＵＲＬが含まれていなかった場合、受信データに含まれているデータ内容に応じた他の処理を実行する（ステップＳＣ５）。
【００６８】
アクノーリッジを携帯端末５００に向けて送信した後、テレビジョン装置１００は、これからアクセスするサイトに応じたアプリケーションを起動する。このアプリケーションは、ネットワークをアクセスして取得したコンテンツを表示器に出力するためにレンダリングするプログラムコードである。例えばブラウザ対応、或いはユーチューブ対応のアプリケーションを起動する。次に受信したＵＲＬに基づいて、サーバーをアクセスし、データ（コンテンツ）をダウンロードして、表示する（ステップＳＣ７、ＳＣ８、ＳＣ９）。
【００６９】
テレビジョン装置１００は、受信したＵＲＬがＰＣ用ＵＲＬであった場合は、そのまま高画質のコンテンツを取得するためのアドレスとして使用する。しかしテレビジョン装置１００は、受信したＵＲＬがモバイル用ＵＲＬであった場合は、これをＰＣ用ＵＲＬに変換して、高画質のコンテンツを取得するためのアドレスとして使用する。
【００７０】
図１２には、携帯端末５００からテレビジョン装置１００へＵＲＬが送信されたとき、テレビジョン装置１００が起動するときの動作例を示している。
【００７１】
まず、テレビジョン装置１００は、電源の状態として、通常電源オフ状態と、スタンバイ状態がある。
【００７２】
ただし通常電源オフ状態であっても、無線通信送受信部１１３、有線通信送受信部１１２、通信制御部２０３、コマンド処理部２０２、メモリ２１２は、アクティブ状態にあり、外部からのデータを受信することができる。
【００７３】
スタンバイ状態（節電状態と称してもよい）は、例えば、オーディオデコーダ１２３、オーディオデータ処理部１２４、オーディオ出力部１２５、映像デコーダ１３１、映像データ処理部１３２、映像出力部１３３、表示器１３４がオフし、他の部分はアクティブ状態にある。
【００７４】
本実施例の携帯端末５００は、テレビジョン装置１００がスタンバイ状態又は電源オフ状態のいずれかに応じて使用しているネットワーク上のＵＲＬをテレビジョン装置１００の電源オン用の信号としてテレビジョン装置１００に送信する送信手段を有する。この送信手段は、テレビジョン装置１００がスタンバイ状態であれば、テレビジョン装置１００を本格的電源オン状態にするトリガとしてＵＲＬを送信する。この送信手段は、テレビジョン装置１００が電源オフ状態であれば、マジックパケットを送信してテレビジョン装置１００を起動し、この起動した後に、ＵＲＬをテレビジョン装置１００に送信する。
【００７５】
一方、テレビジョン装置１００は、携帯端末５００で使用されているネットワーク上のＵＲＬを受信すると、本格的電源オン状態にする電源オン手段と、ＵＲＬを用いて取得したコンテンツを表示するためのアプリケーションを自動的に起動する起動手段とを有する。このテレビジョン装置１００は、スタンバイ状態であれば、ＵＲＬを受信すると、このＵＲＬの受信をトリガとして本格的電源オン状態にする。このテレビジョン装置１００は、電源オフ状態であれば、携帯端末５００から送信されたマジックパケットを受信して起動し、この起動した後に、ＵＲＬを受信して当該ＵＲＬを用いて取得したコンテンツを表示するためのアプリケーションを自動的に起動する。
【００７６】
すなわち、本実施例のテレビジョン装置は、スタンバイ状態のときにＵＲＬを受信したとき、コマンド処理部２０２が、単なるデータ受信ではなく、ＵＲＬ受信動作をテレビジョン装置全体の本格的電源オン指令として解釈することができる。これにより、テレビジョン装置１００は、全体が起動し、ユーチューブの画像表示状態、或いはブラウザ状態に移行する。またこのときは携帯端末５００にアクノーリッジを送信することができる。
【００７７】
またテレビジョン装置が通常電源オフ状態にあった場合も、上記と同様に、コマンド処理部２０２が、ＵＲＬ受信動作をテレビジョン装置全体の本格的電源オン指令として解釈することができる。
【００７８】
しかし、テレビジョン装置によっては、通常電源オフ状態から電源オン状態に移行するために遠隔操作により特殊なデータ例えばマジックパケットを必要とするものもある。このような場合は、コマンド処理部２０２は、ＵＲＬを受信しても電源を起動しない場合もある。このような状況では、携帯端末５００は、ＵＲＬを送信した後、アクノーリッジを一定時間内に受信しないことになる。このときは、携帯端末５００は、マジックパケットとＵＲＬの先頭に付加して、テレビジョン装置１００へ送信する。これにより、テレビジョン装置１００は、本格的な電源オン状態に移行し、ユーチューブの画像表示状態、或いはブラウザ状態に移行することができる。
【００７９】
上記したように、本実施形態によると、ネットワークのサーバーをアクセスして動画のコンテンツを取得して表示するテレビジョン装置１００と、携帯端末５００とが相互関連して動作することができる。
【００８０】
即ち携帯端末５００は、ウエブ上の動画サイトアクセスのためのＵＲＬをテレビジョン装置へ送信することができる。この場合、携帯端末向けの低画質用ＵＲＬは、高画質用ＵＲＬに自動変換されるデジタルテレビジョン装置では高品質の動画を再生することができる。即ち、本実施形態に係るシステムでは、携帯端末５００が使用したネットワーク上の第１のアドレスをテレビジョン装置に送信する経路上で変換するもので、前記第１のアドレスを前記テレビジョン装置の性能に適合し、かつ前記テレビジョン装置が使用可能で、かつ前記テレビジョン装置の特定のアプリケーションを起動するトリガとなる第２のアドレスを含む情報に変換する変換手段を有する。
【００８１】
これによりテレビジョン装置では、動画コンテンツを再生する場合、テレビジョン装置の解像度に適合した動画を再生できることになる。
【００８２】
本実施形態では、携帯端末からテレビジョン装置へ送信したＵＲＬが動画サイトのものであった場合は、携帯端末側では、テレビジョン操作用の再生操作画面に切換り、ウエブサイトのものであった場合は、テレジョン操作用のポインター操作画面に切換ることができる。つまり、テレビジョン装置が受信するサイト画面を操作するのに最適な操作画面（ＵＲＬのコンテンツに応じたテレビジョン操作画面）に切換ることができる。これによりユーザによる画面選択・切り換え操作の手間を省略することができる。
【００８３】
また本実施形態では、携帯端末がＵＲＬをテレビジョン装置へ送信した際に、このことがトリガとなり、テレビジョン装置の電源がアクティブスタンバイである場合、自動的に電源を本格的オンにして、受信したＵＲＬのウエブページを表示することができる。ユーザによる電源オン操作を介さずに、目的とするウエブサイトのコンテンツを取得して表示することができる。
【００８４】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８５】
１００・・・テレビジョン装置、３００・・・中継器、５００・・・携帯端末、
１０２・・・チューナ装置、１１１・・・記憶装置、１２２・・・ＴＳ処理部、１２３・・・オーディオデコーダ、１２４・・・オーディオデータ処理部、１２５・・・オーディオ出力部、１２６・・・スピーカ、１３１・・・映像デコーダ、１３２・・・映像データ処理部、１３３・・・映像出力部、１３４・・・表示器、１１２・・・有線通信送受信部、１１３・・・無線通信送受信部、２００・・・制御部、２０１・・・ＣＰＵ、２０２・・・コマンド処理部、２０３・・・通信制御部、２０４・・・操作デバイス管理部、２１１・・・表示処理部、２１２・・・メモリ、５００，５０１・・・携帯端末、５１１・・・表示器、５１２・・・データ処理部、５１４Ａ，５１４Ｂ・・・送受信器、５１３Ａ，５１３Ｂ・・・通信制御部、５２０・・・制御部、５２４・・・操作コマンド処理部、５２７・・・データ転送部。
【図１】
0005524246.tif 000002
【図２】
0005524246.tif 000003
【図３】
0005524246.tif 000004
【図４】
0005524246.tif 000005
【図５】
0005524246.tif 000006
【図６】
0005524246.tif 000007
【図７】
0005524246.tif 000008
【図８】
0005524246.tif 000009
【図９】
0005524246.tif 000010
【図１０】
0005524246.tif 000011
【図１１】
0005524246.tif 000012
【図１２】
0005524246.tif 000013